(57)【要約】【課題】消雪ブロックを横移動させることなく設置可能であると共に散水路の接続も容易に可能となる消雪用ブロックの連結構造を提供すること。【解決手段】散水路１同士の接続に、突き合せ面３より外方へ突設する接続管を用いることなく、予め各消雪ブロック２の端部若しくは端部近傍に掛止凹部４を設けて、縦列状態に突き合せた各消雪ブロック２のこの各掛止凹部４に、連結具５の掛止部５Ａを外方から差込することでこの連結具５を各消雪ブロック２間に架設固定して各消雪ブロック２の突き合せ面３同士を突き合せ状態に保持すると共に、この連結具５により縦列状態に突き合せた各消雪ブロック２の突き合せ面３間に、各散水路１の端部１Ａを囲繞するように止水用弾性材９を配設固定して、各散水路１同士を止水状態に接続する。【選択図】図２
2009270332.tif 000002
【特許請求の範囲】
【請求項１】
散水路を有する消雪ブロックの両端の突き合せ面同士を突き合せて複数の消雪ブロックを縦列状態に連結することで、この突き合せ面に臨設する前記各散水路の端部同士が合致して各散水路が連通接続する消雪ブロックの連結構造であって、前記各散水路同士の接続に、前記突き合せ面より外方へ突設する接続管を用いることなく、予め前記各消雪ブロックの端部若しくは端部近傍に掛止凹部を設けて、縦列状態に突き合せた各消雪ブロックのこの各掛止凹部に、連結具の掛止部を外方から差込することでこの連結具を各消雪ブロック間に架設固定して各消雪ブロックの突き合せ面同士を突き合せ状態に保持すると共に、この連結具により縦列状態に突き合せた各消雪ブロックの突き合せ面間に、前記各散水路の端部を囲繞するように止水用弾性材を配設固定して、各散水路同士を止水状態に接続する構造としたことを特徴とする消雪ブロックの連結構造。
【請求項２】
前記消雪ブロックは、送水管を埋設せずに前記散水路を具備する形状にコンクリートで一体成形したものを採用したことを特徴とする請求項１記載の消雪ブロックの連結構造。
【請求項３】
前記連結具は、両側に前記掛止部を有する構成とし、この両側の各掛止部を縦列状態に突き合せた前記各消雪ブロックの各掛止凹部に差込することでこの連結具を各消雪ブロック間に架設固定し得るように構成したことを特徴とする請求項１，２のいずれか１項に記載の消雪ブロックの連結構造。
【請求項４】
前記消雪ブロックの掛止凹部は、縦列状態に突き合せた各消雪ブロックのこの掛止凹部に前記連結具を差込した際、この連結具が埋設状態で差込される形状に構成したことを特徴とする請求項１〜３のいずれか１項に記載の消雪ブロックの連結構造。
【請求項５】
前記消雪ブロックの端部近傍であってこの消雪ブロックの縦列方向と直交する左右両外側面部に夫々前記掛止凹部を設けて、縦列状態に突き合せた各消雪ブロックに対し、この消雪ブロックの縦列方向と直交する両側から掛止凹部に夫々前記連結具の掛止部を差込し得るように構成したことを特徴とする請求項１〜４のいずれか１項に記載の消雪ブロックの連結構造。
【請求項６】
前記止水用弾性材は、前記散水路の端部より径大なリング状に構成したことを特徴とする請求項１〜５のいずれか１項に記載の消雪ブロックの連結構造。
【請求項７】
空気を注入することで膨張する構成の前記止水用弾性材を採用し、この止水用弾性材を、縦列状態に突き合せた前記各消雪ブロックの突き合せ面間に前記各散水路の端部を囲繞するようにして配設すると共に、空気を注入して膨張させることでこの止水用弾性材を各突き合せ面に圧接せしめて、この止水用弾性材により各散水路の端部間を止水状態とする構成としたことを特徴とする請求項１〜６のいずれか１項に記載の消雪ブロックの連結構造。
【発明の詳細な説明】
【技術分野】
【０００１】
本発明は、消雪用散水ノズルを備えた消雪ブロックの連結構造に関するものである。
【背景技術】
【０００２】
この種消雪ブロックの連結構造としては、図１８に示すように散水ノズルに水などを供給する散水管20を具備した消雪ブロック21の両端の突き合せ面22の一方に、散水管20の一側端部を延長突出させて挿入筒部23を形成し、他方に、この挿入筒部23を挿入接続可能な接続筒部24を形成した構成として、複数の消雪ブロック21を縦列した上でこの挿入筒部23と接続筒部24とをオス・メス接続して連結する構造（例えば、特許文献１参照。）や、図１９に示すように複数縦列した消雪ブロック21の両端の突き合せ面22間に別部品のジョイント管25を架設状態に挿入取付することで各散水管20同士を接続して連結する構造（例えば、特許文献２参照。）が知られている。
【０００３】
【特許文献１】実用新案登録第３０６１５５９号公報
【特許文献２】特開２０００−１４４６６５号公報
【発明の開示】
【発明が解決しようとする課題】
【０００４】
上記のようなオス・メス接続構造やジョイント管25を用いる接続構造は、いずれも、一方の消雪ブロック21に対して他方の消雪ブロック21を横移動させて挿入筒部23若しくはジョイント管25を挿入接続する（図１８，図１９参照。）。
【０００５】
しかしながら、この接続作業は、先に据え付けた一方の消雪ブロック21に対して他方の消雪ブロック21をできるだけ水平にして横移動させながら管（筒）同士の位置合せと挿入接続とを行うのであるが、この際、一方の消雪ブロック21に対して他方の消雪ブロック21を水平にしすぎるとブロック底面を設置面に引きずってしまうし、かといって他方の消雪ブロック21を傾かせすぎると管同士が接続しづらかったり管が損傷してしまったりする場合があるため、慎重を要する非常に厄介な作業であった。
【０００６】
本発明は、このような従来の消雪ブロックの連結構造の問題点を見出し、これを解決しようとするためのもので、消雪ブロックを横移動させることなく容易に設置可能であると共に散水路の接続も容易に可能となる画期的な消雪ブロックの連結構造を提供するものである。
【課題を解決するための手段】
【０００７】
添付図面を参照して本発明の要旨を説明する。
【０００８】
散水路１を有する消雪ブロック２の両端の突き合せ面３同士を突き合せて複数の消雪ブロック２を縦列状態に連結することで、この突き合せ面３に臨設する前記各散水路１の端部１Ａ同士が合致して各散水路１が連通接続する消雪ブロックの連結構造であって、前記各散水路１同士の接続に、前記突き合せ面３より外方へ突設する接続管を用いることなく、予め前記各消雪ブロック２の端部若しくは端部近傍に掛止凹部４を設けて、縦列状態に突き合せた各消雪ブロック２のこの各掛止凹部４に、連結具５の掛止部５Ａを外方から差込することでこの連結具５を各消雪ブロック２間に架設固定して各消雪ブロック２の突き合せ面３同士を突き合せ状態に保持すると共に、この連結具５により縦列状態に突き合せた各消雪ブロック２の突き合せ面３間に、前記各散水路１の端部１Ａを囲繞するように止水用弾性材９を配設固定して、各散水路１同士を止水状態に接続する構造としたことを特徴とする消雪ブロックの連結構造に係るものである。
【０００９】
また、前記消雪ブロック２は、送水管を埋設せずに前記散水路１を具備する形状にコンクリートで一体成形したものを採用したことを特徴とする請求項１記載の消雪ブロックの連結構造に係るものである。
【００１０】
また、前記連結具５は、両側に前記掛止部５Ａを有する構成とし、この両側の各掛止部５Ａを縦列状態に突き合せた前記各消雪ブロック２の各掛止凹部４に差込することでこの連結具５を各消雪ブロック２間に架設固定し得るように構成したことを特徴とする請求項１，２のいずれか１項に記載の消雪ブロックの連結構造に係るものである。
【００１１】
また、前記消雪ブロック２の掛止凹部４は、縦列状態に突き合せた各消雪ブロック２のこの掛止凹部４に前記連結具５を差込した際、この連結具５が埋設状態で差込される形状に構成したことを特徴とする請求項１〜３のいずれか１項に記載の消雪ブロックの連結構造に係るものである。
【００１２】
また、前記消雪ブロック２の端部近傍であってこの消雪ブロック２の縦列方向と直交する左右両外側面部に夫々前記掛止凹部４を設けて、縦列状態に突き合せた各消雪ブロック２に対し、この消雪ブロック２の縦列方向と直交する両側から掛止凹部４に夫々前記連結具５の掛止部５Ａを差込し得るように構成したことを特徴とする請求項１〜４のいずれか１項に記載の消雪ブロックの連結構造に係るものである。
【００１３】
また、前記止水用弾性材９は、前記散水路１の端部１Ａより径大なリング状に構成したことを特徴とする請求項１〜５のいずれか１項に記載の消雪ブロックの連結構造に係るものである。
【００１４】
また、空気を注入することで膨張する構成の前記止水用弾性材９を採用し、この止水用弾性材９を、縦列状態に突き合せた前記各消雪ブロック２の突き合せ面３間に前記各散水路１の端部１Ａを囲繞するようにして配設すると共に、空気を注入して膨張させることでこの止水用弾性材９を各突き合せ面３に圧接せしめて、この止水用弾性材９により各散水路１の端部１Ａ間を止水状態とする構成としたことを特徴とする請求項１〜６のいずれか１項に記載の消雪ブロックの連結構造に係るものである。
【発明の効果】
【００１５】
本発明は上述のように構成したから、縦列状態とする一方の消雪ブロックに対して他方の消雪ブロックを横移動することなく設置可能であるため、事前に横方向に大きな作業スペースを確保する必要がないし、単に縦列状態に突き合せた各消雪ブロックの端部間に連結具を架設状態に掛止するだけで消雪ブロック同士の突き合せ面が突き合せ状態に保持されるために、この消雪ブロックの設置作業が著しく容易に行われることになり、しかも、連結具により突き合せ状態に保持された各消雪ブロックの突き合せ面間に、各散水路の端部を囲繞するように止水用弾性材を配設固定して、各散水路同士を止水状態に接続する構造としたから、この止水構造は簡易に施工可能な構成であると共に、各散水路同士を精度良く位置合せせずともこの止水用弾性材により各散水路間が止水状態に維持されて接続されるので、散水路同士の接続作業も容易に可能となるなど、極めて実用性に秀れた画期的な消雪ブロックの連結構造となる。
【００１６】
また、請求項２記載の発明においては、突き合せ面より外方へ接続管が突設しない構成の消雪ブロックを簡易に設計実現可能であると共に、この消雪ブロックは、一般的な消雪ブロックに比して送水管を埋設しない分コストを削減できることになるなど、一層実用性に秀れた消雪ブロックの連結構造となる。
【００１７】
また、請求項３記載の発明においては、前記作用・効果を確実に発揮する連結具を容易に設計実現可能となる一層実用性に秀れた構成の消雪ブロックの連結構造となる。
【００１８】
また、請求項４記載の発明においては、消雪ブロックの外方に連結具が露出して作業の邪魔となったり、連結具に何かが接触して不意に外れてしまったりするようなことが防止される一層実用性に秀れた構成の消雪ブロックの連結構造となる。
【００１９】
また、請求項５記載の発明においては、縦列状態の各消雪ブロックを左右両側に差込した連結具によって極めて強固に連結できる一層秀れた構成の消雪ブロックの連結構造となる。
【００２０】
また、請求項６記載の発明においては、散水路の端部より径大なリング状の止水用弾性材により確実に散水路同士を止水状態に接続できる一層実用性に秀れた消雪ブロックの連結構造となる。
【００２１】
また、請求項７記載の発明においては、突き合せ状態で位置決め保持された各消雪ブロックの突き合せ面間に、止水用弾性材を簡易に配設固定可能となる極めて施工性に秀れた消雪ブロックの連結構造となる。
【発明を実施するための最良の形態】
【００２２】
好適と考える本発明の実施形態（発明をどのように実施するか）を、図面に基づいて本発明の作用を示して簡単に説明する。
【００２３】
例えば、道路などに設けた長溝内に、消雪ブロック２を複数縦列状態に並べて各消雪ブロック２両端の突き合せ面３同士を突き合せることで、この各突き合せ面３に臨設する各散水路１の端部同士を合致させて各散水路１を連通接続する。
【００２４】
更に具体的には、本発明では、前記各散水路１同士の接続に、前記突き合せ面３より外方へ突設する接続管を用いることなく、縦列状態に突き合せた各消雪ブロック２の突き合せ端部側に存する前記各掛止凹部４に夫々外方から連結具５の掛止部５Ａを差込することで、この連結具５を前記各消雪ブロック２の突き合せ端部間に架設固定して、各消雪ブロック２の突き合せ面３同士を突き合せ状態に保持すると共に、この連結具５により縦列状態に突き合せた各消雪ブロック２の突き合せ面３間に、前記各散水路１の端部１Ａを囲繞するように止水用弾性材９を配設固定して、各散水路１同士を止水状態に接続する構造とする。
【００２５】
従って、縦列状態に設置した各消雪ブロック２の各掛止凹部４に夫々外方から連結具５の両端の掛止部５Ａを差込するだけで縦列する消雪ブロック２同士の突き合せ面３が突き合せ状態に保持されるので、この消雪ブロック２の設置作業が極めて容易に行われることとなる。
【００２６】
また、散水路１同士の止水構造（接続構造）についても、突き合せ状態に保持された各消雪ブロック２の突き合せ面３間に、前記各散水路１の端部１Ａを囲繞するように止水用弾性材９を配設固定するだけの構造であるから、簡易に施工可能な構造であると共に、消雪ブロック２を横移動させて管（筒）同士を挿入接続する場合のような高い位置合せ精度も不要で、この散水路１同士の接続作業が極めて容易に行われることとなる。
【実施例１】
【００２７】
本発明の具体的な実施例１について図１〜図７に基づいて説明する。
【００２８】
本実施例は、図１〜図３に示すように、消雪ブロック２と、複数の消雪ブロック２の突き合せ面３同士を突き合せ状態に保持する連結具５と、この連結具５によって突き合せ状態に保持された各消雪ブロック２の突き合せ面３間に配設固定する止水用弾性材９とを用いた消雪ブロック２の連結構造に係るものである。
【００２９】
具体的には、本実施例の消雪ブロック２は、図１〜図３に示すようなコンクリート製の細長い角形体であって、その上面には長手方向に間隔を置いて散水ノズル７を複数並設状態に具備し、長手方向の両端部（前後両端部）には鉛直面状の前記突き合せ面３を具備している。
【００３０】
また、この消雪ブロック２は、前記各散水ノズル７に地下水などを供給するための散水路１をこの消雪ブロック２の長手方向に沿って埋設状態に設けて、この散水路１の両端部が前記各突き合せ面３に臨設（開口）する構成としているが、この散水路１は管などを消雪ブロック２内に埋め込んで形成するのではなく、本実施例では、散水路１を有する形状にコンクリートで一体成形した消雪ブロック２を採用している。
【００３１】
また、この消雪ブロック２の両端の各突き合せ面３には、図１に示すように前記散水路１の端部１Ａの周囲をこの散水路１の中心（軸心）と同心形状であって散水路１より径大な多角形（図面では六角形）状に凹設して、この凹設部を後述の止水用弾性材９が収容される収容凹部６としている。
【００３２】
また、本実施例では、前記消雪ブロック２の両端部近傍の左右外側面に夫々、連結具５の両端部の掛止部５Ａを外方から差込して嵌入し得る掛止凹部４を設けている。
【００３３】
この掛止凹部４は、図１，図２，図４に示すように、消雪ブロック２の両端部近傍の左右両外側面の上部寄り位置に、転Ｔ字状の凹溝を形成して構成すると共に、この掛止凹部４の縦長溝部分を前記連結具５の掛止部５Ａが差込まれる端部差込部４Ａとし、横長溝部分を連結具５の中間部５Ｂが差込まれる中間差込部４Ｂとしている。
【００３４】
また、この掛止凹部４は、図５に示すように、中間差込部４Ｂよりも端部差込部４Ａの凹設深さを深く設定して、前記連結具５の両端の掛止部５Ａが端部差込部４Ａに深く差込まれるように構成している。
【００３５】
また、この掛止凹部４は、消雪ブロック２のコンクリート成形時に同時に一体成形する構成としている。
【００３６】
本実施例の連結具５は、金属製とし、コ字状に形成して両端の掛止部５Ａを凹設深さのある前記端部差込部４Ａに差込嵌入し得、掛止部５Ａ間の中間部５Ｂを凹設深さのない（浅い）前記中間差込部４Ｂに差込嵌入（収容）し得るように構成している。
【００３７】
具体的には、連結具５は、図２，図５に示すように、帯板状の中間部５Ｂの両端部に短い帯板状の掛止部５Ａを付設して平面視コ字状をなす構成とし、更に、両端の前記掛止部５Ａを先端側程狭くなる形状に形成すると共に、この両端の掛止部５Ａの先端部の対向間隔を、縦列状態に並設して突き合せた各消雪ブロック２の夫々の突き合せ側に存する前記掛止凹部４の前記端部差込部４Ａの並設間隔よりも小さい対向間隔に設定して、この連結具５の両端の掛止部５Ａが、突き合せた各消雪ブロック２の夫々の突き合せ側に存する端部差込部４Ａに対し圧接係合して、各消雪ブロック２を縦列状態に連結固定する構造としている。
【００３８】
また、この連結具５を、その両端部の掛止部５Ａを前記端部差込部４Ａに嵌入すると共に、中間部５Ｂを前記中間差込部４Ｂに収容すると、この連結具５が前記消雪ブロック２の外側面より外方へ露出しない埋没状態となるように、連結具５の各部の大きさ寸法並びに、掛止凹部４の凹設深さ寸法等を設定構成している。
【００３９】
本実施例の止水用弾性材９は、ゴム製とする共に、図１に示すように前記散水路１の端部１Ａより径大な円形リング状に構成している。
【００４０】
また、この止水用弾性材９は、図５〜図７に示すように、空気を注入することで膨張する断面角形のチューブ構造体とし、この止水用弾性材９を、前記連結具５により突き合せ状態で位置決め保持された消雪ブロック２の突き合せ面３間に前記各散水路１の端部１Ａを囲繞するようにして配設し、空気を注入して膨張させることでこの止水用弾性材９を各突き合せ面３に圧着せしめて、この止水用弾性材９により各散水路１の端部１Ａ間を止水状態とできる構成としている。
【００４１】
また、この止水用弾性材９は、突き合せ面３の前記収容凹部６に収容して仮止め状態としておくことができるように、この止水用弾性材９と収容凹部６の外径寸法を設定構成している。従って、これにより設置完了した一方の消雪ブロック２の収容凹部６に、引き続いて降下載置する他方の消雪ブロック２が設置完了するまで止水用弾性材９を仮止めしておくことができるので、施工作業を極めて容易に且つ効率良く行うことができる構成としている。
【００４２】
また、この止水用弾性材９は、空気注入用の注入部９Ａを備えた構成とし、一方の消雪ブロック２と他方の消雪ブロック２とを突き合せ状態に位置決めした後、注入部９Ａから空気を注入して止水用弾性材９を膨張させることができるように構成している。
【００４３】
具体的には、消雪ブロック２の突き合せ面３に前記収容凹部６と連設状態にして溝部10を設け、この溝部10に、止水用弾性材９の外周縁部から外方へ長く突設した注入部９Ａを収容して消雪ブロック２外へ露出させ、この溝部10を介して消雪ブロック２外に露出する注入部９Ａから空気を注入し得るように構成している。
【００４４】
また、本実施例では、空気の注入により膨張した止水用弾性材９を突き合せ面３に接着する構成としている。
【００４５】
具体的には、止水用弾性材９の両側面に予め接着剤（図示省略）を塗布しておき、空気の注入によって止水用弾性材９が膨張すると、その両側面が突き合せ面３（収容凹部６）に圧接し、この圧接（密着）状態が接着剤の硬化により維持されて、確実な止水性を発揮する構成としている。
【００４６】
次に、本実施例の施工手順を説明する。
【００４７】
設置場所に、一方の消雪ブロック２を載置してこの一方の消雪ブロック２の収容凹部６に止水用弾性材９を仮止め収容し、続いて、この一方の消雪ブロック２と縦列状態に他方の消雪ブロック２を載置して双方の消雪ブロック２の突き合せ面３を突き合せ、この各突き合せ面３間に止水用弾性材９を配設する。
【００４８】
具体的には、例えば、道路などに設けた長溝（設置場所）内に、消雪ブロック２を複数縦列状態に並べて各消雪ブロック２両端の突き合せ面３同士を突き合せ、この各突き合せ面３の収容凹部６に、両側面に接着剤を付したリング状の止水用弾性材９を仮止め収容する。
【００４９】
次いで、縦列状態に突き合せた各消雪ブロック２の突き合せ端部側であって、各消雪ブロック２の左右両外側面に存する各掛止凹部４に夫々外方から連結具５を差込することで、この連結具５を前記各消雪ブロック２の突き合せ端部間に架設固定して各消雪ブロック２を連結固定する。
【００５０】
具体的には、縦列状態に突き合せた各消雪ブロック２の突き合せ端部側に存する前記各掛止凹部４の端部差込部４Ａに夫々連結具５の両端の掛止部５Ａの位置を合せると共に、中間差込部４Ｂに連結具５の中間部５Ｂを位置合せして差込し、例えば、この連結具５をハンマーなどの打撃具で打撃することにより、両端部の掛止部５Ａを各端部差込部４Ａに嵌入して各掛止部５Ａの先端部を端部差込部４Ａに圧接係合させて、前記各消雪ブロック２の突き合せ端部間にこの連結具５を架設状態に配設固定する（図２，図３参照。）。
【００５１】
すると、図５に示すようにこの連結具５によって各消雪ブロック２が挟持状態で連結されて各消雪ブロック２が確実に位置決め状態となり、一方の消雪ブロック２に対して他方の消雪ブロック２が浮き上がるようなことが防止される。
【００５２】
続いて、止水用弾性材９に空気を注入し膨張させて両側面を各突き合せ面３の収容凹部６に圧着させると、接着剤の硬化により密着固定して双方の消雪ブロック２の各散水路１が止水用弾性材９により密閉止水状態となって接続される。
【００５３】
この連結作業を繰り返して、所望の消雪設備を完成させる。
【００５４】
図中符号８は、縦列状態の各消雪ブロック２の突き合せ面３間の隙間に配設した目地材である。
【００５５】
尚、本実施例では、複数の消雪ブロック２をストレートな縦列状態に連結した場合を示したが、止水用弾性材９の弾性変形を利用して消雪ブロック２同士をカーブ（屈曲）させて縦列状態に連結することもできるし、設置場所の起伏等に応じて上下方向に屈曲させて縦列状態に連結することもできる。また、止水用弾性材９が弾性変形することにより消雪ブロック２の据付位置の微調整も容易に可能である（必要に応じて掛止凹部４の形状も変更すると良い。）。
【００５６】
また、連結具５は、金属製に限らず、ゴム製や化学繊維製や樹脂製や他の素材製でも良い。
【００５７】
また、止水用弾性材９は、ゴム製に限らず、スポンジ製やウレタン製や他の弾性変形可能な素材製でも良い。また、止水用弾性材９の形状は、円形リング状に限らず、矩形状や多角形状などでも良く、要は散水路１を囲繞する形状であれば良い。また、止水用弾性材９の断面形状も、角形に限らず、円形でも良い。また、止水用弾性材９は、チューブ構造体でなくとも良いし、突き合せ面３に対して接着しなくとも良い。
【実施例２】
【００５８】
本発明の具体的な実施例２について図８に基づいて説明する。
【００５９】
本実施例は、前記実施例１において、連結具５の構成を異ならせた場合である。
【００６０】
具体的には、本実施例の連結具５は、一枚の帯板の両端部を同じ方向に屈曲形成することで平面視コ字状をなし、中間部５Ｂの両端部に掛止部５Ａが突設する連結具５に構成した場合を示している。
【００６１】
また、この連結具５の形状に合せて、前記掛止凹部４の中間差込部４Ｂの形状も実施例１とは異ならせている。
【００６２】
他の構成は、前記実施例１と同様である。
【実施例３】
【００６３】
本発明の具体的な実施例３について図９に基づいて説明する。
【００６４】
本実施例も、前記実施例１において、連結具５の構成を異ならせた場合である。
【００６５】
具体的には、本実施例の連結具５は、丸棒状の前記中間部５Ｂの両端部に球状の前記掛止部５Ａを付設して構成した場合を示している。
【００６６】
また、この連結具５の形状に合せて、前記掛止凹部４の中間差込部４Ｂの形状も実施例１とは異ならせている。
【００６７】
他の構成は、前記実施例１と同様である。
【実施例４】
【００６８】
本発明の具体的な実施例４について図１０に基づいて説明する。
【００６９】
本実施例も、前記実施例１において、連結具５の構成を異ならせた場合である。
【００７０】
具体的には、本実施例の連結具５は、丸棒状の前記中間部５Ｂの両端部に円盤状の前記掛止部５Ａを付設して構成した場合を示している。
【００７１】
また、この連結具５の形状に合せて、前記掛止凹部４の中間差込部４Ｂの形状も実施例１とは異ならせている。
【００７２】
また、本実施例では、円盤状の掛止部５Ａと掛止凹部４の端部差込部４Ａとの間に板状の緩衝材11を介在した場合を示している。
【００７３】
他の構成は、前記実施例１と同様である。
【実施例５】
【００７４】
本発明の具体的な実施例５について図１１に基づいて説明する。
【００７５】
本実施例も、前記実施例１において、連結具５の構成を異ならせた場合である。
【００７６】
具体的には、本実施例の連結具５は、ボルト杆で構成した前記中間部５Ｂの両端部にナットで構成した前記掛止部５Ａを螺着して構成した場合を示しており、この連結具５を前記掛止凹部４に差込した上で、掛止部５Ａ（ナット）を締付回動して前記掛止凹部４の端部差込部４Ａに圧接することにより、この連結具５で並設する消雪ブロック２を挟持状態に連結固定する構成としている。
【００７７】
また、この連結具５の形状に合せて、前記掛止凹部４の中間差込部４Ｂの形状も実施例１とは異ならせている。
【００７８】
また、本実施例では、ナットで構成された掛止部５Ａと掛止凹部４の端部差込部４Ａとの間に板状の緩衝材11を介在した場合を示している。
【００７９】
他の構成は、前記実施例１と同様である。
【実施例６】
【００８０】
本発明の具体的な実施例６について図１２に基づいて説明する。
【００８１】
本実施例も、前記実施例１において、連結具５の構成を異ならせた場合である。
【００８２】
具体的には、本実施例の連結具５は、断面六角形状の筒体内に雌ネジを形成した雌ネジ筒体を前記中間部５Ｂとし、この中間部５Ｂの両端部に頭部付ボルトのボルト先端を螺着してこの各頭部付ボルトを前記掛止部５Ａとして構成した場合を示しており、この連結具５を前記掛止凹部４に差込した上で、中間部５Ｂを締付回動して掛止部５Ａを前記掛止凹部４の端部差込部４Ａに圧接することにより、この連結具５で並設する消雪ブロック２を挟持状態に連結固定する構成としている。
【００８３】
また、この連結具５の形状に合せて、前記掛止凹部４の中間差込部４Ｂの形状も実施例１とは異ならせている。
【００８４】
また、本実施例では、頭部付ボルトで構成された掛止部５Ａ（のボルト頭部）と掛止凹部４の端部差込部４Ａとの間に板状の緩衝材11を介在した場合を示している。
【００８５】
他の構成は、前記実施例１と同様である。
【実施例７】
【００８６】
本発明の具体的な実施例７について図１３，図１４に基づいて説明する。
【００８７】
本実施例は、前記実施例１において、前記止水用弾性材９の形状を異ならせることで、図１３に示すように消雪ブロック２をカーブした縦列状態に連結した場合を示している。
【００８８】
具体的には、本実施例の止水用弾性材９は、図１４に示すように、側面部をテーパ面形状に形成して、このテーパ状側面に消雪ブロック２の突き合せ面３を斜めから付き合わせて連結することで消雪ブロック２同士をカーブした縦列状態に据付している。尚、図１４では注入部９Ａを省略している。
【００８９】
また、本実施例では、詳しく図示していないが、消雪ブロック２の各突き合せ面３に散水路１の中心（軸心）と同心円形状の凹溝を形成し、この凹溝を止水用弾性材９を収納するための収容凹部６とした場合を示している。尚、この構成は、後述する実施例８，９についても同様である。
【００９０】
他の構成は、前記実施例１と同様である。
【実施例８】
【００９１】
本発明の具体的な実施例８について図１５に基づいて説明する。
【００９２】
本実施例も、消雪ブロック２をカーブした縦列状態に連結した場合を示している。
【００９３】
具体的には、本実施例では、一方の消雪ブロック２の収容凹部６に止水用弾性材９よりも軟質なクッション材12を収容し、このクッション材12を介して収容凹部６に止水用弾性材９を収容した構成として、クッション材12の弾性変形により一方の消雪ブロック２に対し他方の消雪ブロック２をカーブした縦列状態に据付している。
【００９４】
また、本実施例の止水用弾性材９は、断面円形のものを採用した場合を示している。
【００９５】
他の構成は、前記実施例１と同様である。
【実施例９】
【００９６】
本発明の具体的な実施例９について図１６に基づいて説明する。
【００９７】
本実施例も、消雪ブロック２をカーブした縦列状態に連結した場合を示している。
【００９８】
具体的には、前記実施例４において、クッション材12の止水用弾性材９に接する側の側面部をテーパ面形状に形成している。
【００９９】
従って、これによりクッション材12のテーパ状側面に止水用弾性材９を当接させると止水用弾性材９が突き合せ面３に対し斜設状態となるので、この止水用弾性材９に消雪ブロック２の突き合せ面３を斜めから突き合せて連結して、消雪ブロック２同士をカーブした縦列状態に据付している。
【０１００】
他の構成は、前記実施例１と同様である。
【実施例１０】
【０１０１】
本発明の具体的な実施例１０について図１７に基づいて説明する。
【０１０２】
本実施例は、前記実施例１において、前記収容凹部６の形状を異ならせることで、消雪ブロック２をカーブした縦列状態に連結した場合を示している。
【０１０３】
具体的には、本実施例では、消雪ブロック２の各突き合せ面３に散水路１の中心（軸心）と同心円形状の凹溝を形成してこの凹溝を収容凹部６とすると共に、図１３に示すようにこの収容凹部６の溝底をテーパ面形状に形成している。
【０１０４】
従って、このテーパ状の収容凹部６に収容した止水用弾性材９を介して消雪ブロック２を連結することにより、消雪ブロック２同士をカーブした縦列状態で据付している。
【０１０５】
他の構成は、前記実施例１と同様である。
【０１０６】
尚、本発明は、実施例１〜１０に限られるものではなく、各構成要件の具体的構成は適宜設計し得るものである。
【図面の簡単な説明】
【０１０７】
【図１】実施例１の消雪ブロックと止水用弾性材を示す分解斜視図である。
【図２】実施例１の消雪ブロックを複数縦列状態に並べて各消雪ブロック両端の突き合せ面同士を突き合せ、掛止凹部に連結具を差込しようとする状態を示す説明斜視図である。
【図３】図２の状態から、各消雪ブロックの掛止凹部に連結具を差込し掛止して各消雪ブロックを連結した状態を示す説明斜視図である。
【図４】実施例１の各消雪ブロックの掛止凹部に連結具を差込し掛止して各消雪ブロックを連結した状態を示す説明縦断面図である。
【図５】実施例１の各消雪ブロックの掛止凹部に連結具を差込し掛止して各消雪ブロックを連結した状態を示す部分拡大説明横断面図である。
【図６】実施例１の、一方の消雪ブロックに対し他方の消雪ブロックを降下載置しようとする途中の状態を示す説明側断面図である。
【図７】図６の状態から、他方の消雪ブロックを降下載置した状態を示す説明側断面図である。
【図８】実施例２の連結具を示す説明斜視図である。
【図９】実施例３の連結具を示す説明斜視図である。
【図１０】実施例４の連結具を示す説明斜視図である。
【図１１】実施例５の連結具を示す説明斜視図である。
【図１２】実施例６の連結具を示す説明斜視図である。
【図１３】実施例７の設置完了状態を示す目地材を省略した説明平断面図である。
【図１４】実施例７の止水用弾性材を示す部分拡大説明斜視図である。
【図１５】実施例８の設置完了状態を示す目地材を省略した説明平断面図である。
【図１６】実施例９の設置完了状態を示す目地材を省略した説明平断面図である。
【図１７】実施例１０の設置完了状態を示す目地材を省略した説明平断面図である。
【図１８】従来例１の連結構造を示す説明図である。
【図１９】従来例２の連結構造を示す説明図である。
【符号の説明】
【０１０８】
１  散水路
１Ａ  端部
２  消雪ブロック
３  突き合せ面
４  掛止凹部
５  連結具
５Ａ  掛止部
９  止水用弾性材
【図１】
2009270332.tif 000003
【図２】
2009270332.tif 000004
【図３】
2009270332.tif 000005
【図４】
2009270332.tif 000006
【図５】
2009270332.tif 000007
【図６】
2009270332.tif 000008
【図７】
2009270332.tif 000009
【図８】
2009270332.tif 000010
【図９】
2009270332.tif 000011
【図１０】
2009270332.tif 000012
【図１１】
2009270332.tif 000013
【図１２】
2009270332.tif 000014
【図１３】
2009270332.tif 000015
【図１４】
2009270332.tif 000016
【図１５】
2009270332.tif 000017
【図１６】
2009270332.tif 000018
【図１７】
2009270332.tif 000019
【図１８】
2009270332.tif 000020
【図１９】
2009270332.tif 000021